(57)【要約】【課題】薄型で突出する部分が少なく、簡単な操作でスポット送風とマイルド送風を切り替えることができるレジスタを提供する。【解決手段】円環フレーム部２２を有した可動ベゼル２が固定ベゼル１の内側に中心軸Ｓの回りで回動可能に嵌合される。回動ルーバー３の円環フレーム３５は可動ベゼル２の円環フレーム部２２に対し中心軸Ｓの回りで回動可能に嵌合される。固定ベゼル１のフランジ部１と可動ベゼル２のフランジ部２１との間に隙間１４が設けられる。隙間１４に向けて空気流を吹出すための吹出口１３が固定ベゼル１の内周部に所定の角度間隔で複数個設けられる。可動ベゼル２の回動操作に応じて吹出口１３を開閉する凸状開閉部２３が可動ベゼル２に設けられる。【選択図】図１
2014213834.tif 000002
【特許請求の範囲】
【請求項１】
略円形の空気吹出口の内側に、円環フレームを有した回動ルーバーが該円環フレーム内の通風路の通風方向と平行な中心軸の回りで回動可能に配設され、該回動ルーバーの円環フレーム内に、該通風方向と直角方向に複数の可動フィンが該直角方向の支軸により回動可能に軸支され、該支軸を軸に該可動フィンを回動させて該空気吹出口を開閉するレジスタにおいて、
円環フレーム部を有した可動ベゼルが固定ベゼルの内側に前記中心軸の回りで回動可能に嵌合され、前記回動ルーバーの該円環フレームは該可動ベゼルの該円環フレーム部に対し該中心軸の回りで回動可能に嵌合され、
該固定ベゼルのフランジ部と該可動ベゼルのフランジ部との間に隙間が設けられるとともに、該隙間に向けて空気流を吹出すための吹出口が該固定ベゼルの内周部に所定の角度間隔で複数個設けられ、
該可動ベゼルの回動操作に応じて該吹出口を開閉する開閉部が該可動ベゼルの固定ベゼル側外周部に設けられたことを特徴とするレジスタ。
【請求項２】
前記可動ベゼルの円環フレーム部の外周部に、前記開閉部として凸状開閉部が所定の角度間隔をおいて外側に突き出すように突設されたことを特徴とする請求項１記載のレジスタ。
【請求項３】
前記固定ベゼルまたは前記可動ベゼルに、ボールプランジャが取り付けられ、該ボールプランジャの先端ボールが相対する該可動ベゼルまたは該固定ベゼルの一部に当接し、該可動ベゼルを回動操作したとき、クリック感が生じるように構成したことを特徴とする請求項１記載のレジスタ。
【請求項４】
前記可動ベゼルの円環フレーム部に複数の係止爪部が背面側に突出して設けられ、該係止爪部の外側に外側係止爪が設けられ、該可動ベゼルは該外側係止爪を前記固定ベゼルの内周部に係止させて該固定ベゼルの前面に回動可能に保持されることを特徴とする請求項１記載のレジスタ。
【請求項５】
前記係止爪部の内側に内側係止爪が設けられ、前記回動ルーバーは円環フレームの外周部を該内側係止爪に係止させて前記可動ベゼルの円環フレーム部の内側に回動可能に保持されることを特徴とする請求項４記載のレジスタ。
【発明の詳細な説明】
【技術分野】
【０００１】
本発明は、自動車等の空調装置の吹出口として使用されるレジスタに関し、特に車室内の天井部分において好適に使用可能な円形の空気吹出口を有する薄型のレジスタに関する。
【背景技術】
【０００２】
従来、円形の空気吹出口を有する丸型のレジスタとして、円筒状のハウジング内に、丸型の中間グリルケースと先端グリルケースを引き出し可能に配設し、先端グリルケースの中央に１対のフィンを開閉可能に設けたレジスタが、下記特許文献１などにより知られている。
【先行技術文献】
【特許文献】
【０００３】
【特許文献１】特開２００５−２３８９２０号公報
【発明の概要】
【０００４】
このレジスタは、円形の空気吹出口を有するハウジングの内側に、丸型の中間グリルケースを回動及び引き出し可能に嵌め込むとともに、中間グリルケース内に丸型の先端グリルケースを回動及び引き出し可能に嵌め込み、先端グリルケース内には、送風方向と直角の支軸で支持され開閉可能な２枚のフィンを有する回動ルーバーを設けた構造である。
【０００５】
このレジスタは、速度や風量の大きい所謂スポット送風を受けたい場合、使用者は、回動ルーバーの１対のフィンを開き、先端グリルケースの円形開口部からスポット風を使用者に向けて送風するようにし、一方、速度や風量の少ない所謂マイルド風を受けたい場合、回動ルーバーのフィンを閉鎖し、先端グリルケースまたは中間グリルケースのみ、或いは先端グリルケースと中間グリルケースの両方をハウジングから手前に引き出し、それにより、先端グリルケースまたは中間グリルケースの側壁に設けた側部吹出孔を開放し、側部吹出孔を通して壁面或いは天井面に略沿ったマイルド風を送風するように使用される。
【発明が解決しようとする課題】
【０００６】
しかしながら、上記レジスタは、スポット風とマイルド風の切替を行う場合に操作する先端グリルケース及び中間グリルケースを、ハウジングに対し手前に引き出すように摺動させるが、その軸方向の摺動性に難点があり、また、ハウジングに対し先端グリルケース、中間グリルケースが車内側に突出する構造であるため、先端グリルケース及び中間グリルケースを押し戻さずに放置した場合、先端グリルケース及び中間グリルケースがハウジングから車内の天井部分から突出した状態となり、その突出状態で、乗員の頭部などがレジスタに近づいた場合、頭部などが当たりやすいという不具合がある。
【０００７】
さらに、先端グリルケース及び中間グリルケースをハウジング内に収納した状態で、マイルド風を送風したい場合、先端グリルケースまたは中間グリルケースを引き出して側部吹出孔を開くようにするが、グリルケースに把持する部分がないため、使用者は、先ず、先端グリルケースの先端のフィンを開放し、そのフィンを把持しながら、先端グリルケース及び／または中間グリルケースを引き出す必要があった。
【０００８】
本発明は、上述の課題に鑑みなされたものであり、薄型で突出する部分が少なく、簡単な操作でスポット送風とマイルド送風を切り替えることができるレジスタを提供することを目的とする。
【課題を解決するための手段】
【０００９】
上記目的を達成するために、本発明のレジスタは、略円形の空気吹出口の内側に、円環フレームを有した回動ルーバーが該円環フレーム内の通風路の通風方向と平行な中心軸の回りで回動可能に配設され、該回動ルーバーの円環フレーム内に、該通風方向と直角方向に複数の可動フィンが該直角方向の支軸により回動可能に軸支され、該支軸を軸に該可動フィンを回動させて該空気吹出口を開閉するレジスタにおいて、
円環フレーム部を有した可動ベゼルが固定ベゼルの内側に前記中心軸の回りで回動可能に嵌合され、前記回動ルーバーの該円環フレームは該可動ベゼルの該円環フレーム部に対し該中心軸の回りで回動可能に嵌合され、
該固定ベゼルのフランジ部と該可動ベゼルのフランジ部との間に隙間が設けられるとともに、該隙間に向けて空気流を吹出すための吹出口が該固定ベゼルの内周部に所定の角度間隔で複数個設けられ、
該可動ベゼルの回動操作に応じて該吹出口を開閉する開閉部が該可動ベゼルの固定ベゼル側外周部に設けられたことを特徴とする。
【００１０】
この発明によれば、上記回動ルーバーを操作してその可動フィンを閉鎖した状態で、上記可動ベゼルのフランジ部などを持って可動ベゼルをその中心軸の回りで回すと、固定ベゼルの内周部に設けた複数の吹出口が開閉部によって開閉され、吹出口が開放された場合には、拡散風が、それらの吹出口から固定ベゼルと可動ベゼルの隙間を通り、天井面近傍或いは壁面に向けて可動ベゼルの周囲にマイルド風（拡散風）として送風される。
【００１１】
一方、可動ベゼルを回して開閉部が吹出口を閉鎖した場合には、吹出口からの送風が停止し、その状態で、回動ルーバーの可動フィンを操作して、回動ルーバーを開放状態とすれば、回動ルーバーの可動フィンの間をスポット風が通過し、例えば天井面から真下に或いは可動フィンを向けた方向にスポット風（直接風）を送風することができる。
【００１２】
また、このレジスタは、固定ベゼルの前部に可動ベゼルを僅かな間隔をおいて回動可能に取り付けるのみの、比較的簡単な構造とすることができるので、従来のレジスタと比べ極めて薄型となり、天井面や壁面に取り付けたとき、天井面や壁面からの可動ベゼルの突出長を最少とすることができる。
【００１３】
ここで、上記可動ベゼルの開閉部は、可動ベゼルの円環フレーム部の外周に凸状開閉部として、所定の角度間隔をおいて突設することができる。
【００１４】
また、上記固定ベゼルまたは可動ベゼルに、ボールプランジャを取り付け、該ボールプランジャの先端ボールが相対する可動ベゼルまたは固定ベゼルの一部に当接する状態とし、可動ベゼルを回動操作したとき、クリック感が生じるように構成することができる。これにより、使用者はクリック感を感じながら、可動ベゼルを回動操作して、マイルド風の送風と遮断を切り替えることができる。
【００１５】
また、上記可動ベゼルの円環フレーム部の内周部分に、複数の係止爪部を背面側に突き出すように設け、該係止爪部には外側係止爪を設け、該外側係止爪を上記固定ベゼルの内周部に係止させ、該可動ベゼルを固定ベゼルの内側に回動可能に保持するように構成することができる。これによれば、固定ベゼルの内側に可動ベゼルを簡単に回動可能に組み付けることができる。
【００１６】
さらに、上記係止爪部には内側係止爪を設け、内側係止爪を上記回動ルーバーの円環フレームの外周部に係止させ、該回動ルーバーを可動ベゼルの内側に回動可能に保持するように構成することができる。これによれば、簡単な構造で、可動ベゼルの内側に、回動ルーバーを回動操作可能に簡単に組み付けることができる。
【発明の効果】
【００１７】
本発明のレジスタによれば、薄型で突出する部分が少なく、簡単な操作でスポット送風とマイルド送風を切り替えることができる。
【図面の簡単な説明】
【００１８】
【図１】本発明の一実施形態を示すレジスタの正面図である。
【図２】同レジスタの背面図である。
【図３】同レジスタの左側面図である。
【図４】同レジスタの平面図である。
【図５】（ａ）は同レジスタの回動ルーバーを閉じた状態の斜視図、（ｂ）は同レジスタの回動ルーバーを開いた状態の斜視図である。
【図６】同レジスタの分解斜視図である。
【図７】（ａ）は正面側から見た可動ベゼルの斜視図、（ｂ）は背面側から見た可動ベゼルの斜視図である。
【図８】（ａ）は可動ベゼルの正面図、（ｂ）は可動ベゼルの背面図である。
【図９】（ａ）は可動ベゼルの平面図、（ｂ）は可動ベゼルの左側面図である。
【図１０】（ａ）は固定ベゼルの正面側から見た斜視図、（ｂ）は固定ベゼルの背面側から見た斜視図である。
【図１１】（ａ）は固定ベゼルの正面図、（ｂ）は固定ベゼルの背面図である。
【図１２】（ａ）は固定ベゼルの平面図、（ｂ）は固定ベゼルの左側面図である。
【図１３】（ａ）図１のＡ−Ａ断面図、（ｂ）は図２のＢ−Ｂ断面図である。
【図１４】使用状態を示し、回動ルーバーを開放した状態の断面図である。
【図１５】同回動ルーバーを閉じた状態の断面図である。
【図１６】（ａ）は回動ルーバーを開放した状態の可動フィンの長手方向に沿った断面図、（ｂ）は回動ルーバーを閉じ、拡散風用の吹出口を開放した状態の、可動フィンの長手方向に沿った断面図である。
【図１７】回動ルーバーを閉じ、且つ拡散風用の吹出口を閉じた状態の、可動フィンの横断方向に沿った断面図である。
【図１８】レジスタの使用状態を示す斜視図である。
【図１９】レジスタの使用状態を示す、回動ルーバー開放時の斜視図である。
【発明を実施するための形態】
【００１９】
以下、本発明の一実施形態を図面に基づいて説明する。図１、２に示すように、本レジスタは自動車の天井などに装着される丸型レジスタとして構成され、概略的には、円環状の固定ベゼル１の前面内側に、やはり円環状の可動ベゼル２を回動可能に取り付け、可動ベゼル２の内側に複数の可動フィンを備えた回動ルーバー３を回動可能に取り付けて構成される。
【００２０】
可動ベゼル２は、固定ベゼル１に対しその中心軸Ｓ（図３、１４）の回りで回動可能に嵌合され、回動ルーバー３はその円環フレーム３５を可動ベゼル２の円環フレーム部２２の内側に回動可能に嵌合させている。回動ルーバー３の円環フレーム３５内に空気吹出口３９が形成され、且つその円環フレーム３５内に複数の可動フィン３１〜３４が回動操作可能に軸支される。
【００２１】
すなわち、回動ルーバー３の円環フレーム３５内には、通風方向と直角方向に複数（ここでは４枚）の可動フィン３１〜３４が図２に示すように、支軸３１ａ〜３４ａによって回動開閉可能に軸支され、回動ルーバー３の円環フレーム３５は、可動ベゼル２の円環フレーム部２２に対し中心軸Ｓの回りで回動可能に嵌合支持される。
【００２２】
さらに、図３のように、固定ベゼル１のフランジ部１１と可動ベゼル２のフランジ部２１との間に隙間１４が設けられ、隙間１４に向けて空気流を吹出すための吹出口１３が、図１５に示す如く、固定ベゼル１の内周部１２に、所定の角度間隔で複数個設けられる。可動ベゼル２には、その回動操作に応じて吹出口１３を開閉する凸状開閉部２３が、図１４に示すように、可動ベゼル２の固定ベゼル１側外周部に、所定の角度間隔で複数個設けられている。
【００２３】
固定ベゼル１は、図１０〜図１２に示すように、合成樹脂等により円環状に形成され、外側にフランジ部１１が、固定部位となる自動車の天井面に取付固定可能に形成され、そのフランジ部１１の内側に、僅かな段差を介して円環状の内周部１２が形成される。固定ベゼル１の内周部１２の内側は円形空間であり、空気流の流路となる部分である。その内周部１２には、例えば１５°の角度間隔で、複数（ここでは１２個）の吹出口１３が所定の角度幅をもって形成される。
【００２４】
内周部１２の段差は内周部１２がフランジ部１１より背面側にシフトするように形成され、その段差による薄い空間が前面側に形成され、その内周部１２の前面の空間に、可動ベゼル２の凸状開閉部２３が回動可能に位置することとなる。なお、内周部１２に設ける複数の吹出口１３の大きさは任意であり、その数は１２個より少ない複数個であってもよく、１２個より多数とすることもでき、吹出口１３は内周部１２の円周上に等間隔で放射状に配置すればよい。
【００２５】
さらに、固定ベゼル１の内周部１２には、ボールプランジャ１５がその先端ボールを可動ベゼル２の凸状開閉部２３に当接させるように取り付けられる。このボールプランジャ１５は可動ベゼル２が回動操作されたとき、凸状開閉部２３が吹出口２３を開閉するごとに、クリック感を発生させるように作用する。ボールプランジャは、固定ベゼル１に代えて可動ベゼル２側に取り付け、その先端ボールを固定ベゼル１の内周部１２に当接させるように構成することもできる。
【００２６】
可動ベゼル２は、図７〜図９に示すように、合成樹脂等のより円環状に形成された円環フレーム部２２の前面側に、フランジ部２１を一体形成し、円環フレーム部２２の背面側に、複数の凸状開閉部２３を円周上に所定の角度間隔で設けて構成される。複数の凸状開閉部２３と凸状開閉部２３との間には、図７，８に示すように、凹部形状の開放部２４が形成され、歯車状に凸状開閉部２３が形成されることとなる。
【００２７】
また、フランジ部２１と凸状開閉部２３との間には、図９などに示すように、空気流の通風路となる空間が隙間として形成されている。フランジ部２１は回動操作する際の把持部となる部位であり、フランジ部２１の円周状の外周縁部は、使用者が容易に把持して回動操作することができる大きさに形成される。
【００２８】
凸状開閉部２３は、固定ベゼル１の内周部１２の吹出口１３に対応して、例えば１５°の角度間隔で、吹出口１３の角度幅より少し広い角度幅を持って、円周上に１２個設けられる。可動ベゼル２を固定ベゼル１の前面に取り付けたとき、凸状開閉部２３が内周部１２上に位置し、可動ベゼル２を回動操作したとき、凸状開閉部２３が吹出口１３を開閉するようになっている。
【００２９】
つまり、可動ベゼル２の回動操作時、凸状開閉部２３は、吹出口１３の前面に回動移動したとき、吹出口１３を閉鎖し、吹出口１３と吹出口１３の間つまり開放部２４が吹出口１３上に回動移動したとき、吹出口１３を開放するように構成されている。なお、上記凸状開閉部２３は回動時に固定ベゼル１側の吹出口１３を開閉する構造であればよく、凸状形状とせずに、円環板状の内周部に方形開口部を所定角度間隔で形成した形状の開閉部とすることもできる。
【００３０】
さらに、可動ベゼル２の円環フレーム部２２には、各部材の組付用に、４本の係止爪部２５が９０°間隔で背面側に突設される。これらの係止爪部２５には、外側と内側に、各々外側係止爪２５ａと内側係止爪２５ｂが設けられ、可動ベゼル２が固定ベゼル１の前面側に組み付けられる際、その外側係止爪２５ａが固定ベゼル１の内周部１２の縁部に、回動可能に係止されるようになっている。これにより、可動ベゼル２は、固定ベゼル１に対しその前面から押し込むように嵌入したとき、外側係止爪２５ａが固定ベゼル１の内周部１２に回動可能に係止され、固定ベゼル１に対し可動ベゼル２を簡単に組み付けることができる。なお、図示は省略されているが、可動ベゼル２の回動角度範囲は、凹凸部嵌合部などを相互に設けることにより、所定の角度範囲に設定することができる。
【００３１】
一方、係止爪部２５の内側の内側係止爪２５ｂは、円環フレーム部２２内に回動ルーバー３の円環フレーム３５を組み付ける際に使用される。図６に示すように、回動ルーバー３はその円環フレーム３５を可動ベゼル２の円環フレーム部２２の背面側から内側係止爪２５ｂの内側に挿入して組み付けられるが、円環フレーム３５を可動ベゼル２の円環フレーム部２２の背面側から挿入したとき、円環フレーム３５の外周縁部が内側係止爪２５ｂに回動可能に係止される構造となっている。これにより、回動ルーバー３を可動ベゼル２に対し簡単に組み付けることができる。
【００３２】
すなわち、回動ルーバー３は、可動ベゼル２の内側に、中心軸Ｓ（通風方向と平行な軸線）の回りで回動可能に取り付けられる。回動ルーバー３は、図６に示すように、円形リング状の円環フレーム３５の内側に、例えば４枚の可動フィン３１〜３４を通風方向と直角方向に配置して構成される。回動ルーバー３の可動フィン３１〜３４は通風方向と直角方向の支軸３１ａ〜３４ａにより回動可能に軸支され、円環フレーム３５内に空気吹出口３９が形成され、可動フィン３１〜３４の向く方向に送風が行なわれる。
【００３３】
円環フレーム３５には、その水平横断方向に４本の支軸３１ａ〜３４ａを支持するために、軸受部３６ａ〜３６ｄが両側に形成される。図２に示すように、最上部（実際にレジスタを取り付けて使用する場合、その上下位置は変わるので、便宜上の位置である。）の可動フィン３１の支軸３１ａを軸支する軸受部３６ａは円環フレーム３５の両側最上部に設けられ、軸受部３６ａの下側に、第２段目の可動フィン３２の支軸３２ａを軸支する軸受部３６ｂが両側に設けられる。同様に、軸受部３６ｂの下側に、第３段目の可動フィン３３の支軸３３ａを軸支する軸受部３６ｃが両側に設けられ、軸受部３６ｃの下側に、第４段目の可動フィン３４の支軸３４ａを軸支する軸受部３６ｄが両側に設けられる。
【００３４】
４枚の可動フィン３１，３２，３３、３４は、各々両端部に、支軸３１ａ，３２ａ，３３ａ，３４ａがフィンの長手方向と平行に突設され、各々の支軸３１ａ〜３４ａは、図１４，１５のように、円環フレーム３５の内側に、約９０°の角度範囲で、中心軸Ｓと平行な開放状態から直角の閉鎖状態（空気吹出口３９の閉鎖）まで、回動可能に軸支される。
【００３５】
また、各可動フィン３１〜３４の内側には、図３、１４のように、各々、アーム３１ｂ、３２ｂ、３３ｂ、３４ｂを介して連結軸３１ｃ、３２ｃ、３３ｃ、３４ｃが設けられ、これらの連結軸３１ｃ、３２ｃ、３３ｃ、３４ｃは１本のリンクバー３７により連結され、４枚の可動フィン３１〜３４が連動して回動するようになっている。
【００３６】
最上部の可動フィン３１は、図５に示すように、略弦状形状（前部円弧状）に形成され、使用者が操作する際、指を可動フィン３１近傍に挿入しやすく、可動フィン３１を指で把持しやすい形状としている。また、図１５に示すように、回動ルーバー３の下３枚の可動フィン３２〜３４は、中心軸Ｓと直角の閉鎖位置まで回動したとき、縁部が相互に重なり合い、空気吹出口３９を略完全に閉鎖する構造となっている。なお、この回動ルーバー３では４枚の可動フィン３１〜３４を設けているが、２枚、３枚、或いは５枚等、複数の可動フィンを設けることもできる。
【００３７】
上記構成のレジスタは、図１８，１９に示すように、例えば自動車の車室内の天井部分のボディパネル（装飾材を含むパネル）Ｂに設けた通気穴に嵌め込むように取り付けられ、その通気穴に接続された空調用のダクトＤ（図１４等）の開口部に、固定ベゼル１の背面部を嵌め込むように取り付けられる。
【００３８】
レジスタは、固定ベゼル１を天井面に付けて固定され、その可動ベゼル２は固定ベゼル１の前面に僅かな隙間１４を介して配設され、可動ベゼル２は非常に薄い構造でコンパクトに構成されるため、図１４に示すように、天井面から下方に突出する突出長は、従来のこの種のレジスタに比して、非常に短いものとなり、乗員の頭部などがレジスタの突出部に接触する不具合を最少としている。
【００３９】
レジスタからスポット風（直接風）を送風する場合、図１４に示すように、固定ベゼル１の吹出口１３を閉じた状態で、回動ルーバー３を操作してその可動フィン３１〜３４を開放する（図１９）。このとき、使用者は、回動ルーバー３の端部に位置する可動フィン３１の上部を押せば、簡単に可動フィン３１を図１４の反時計方向に支軸３１ａを軸に回動させて、開放することができ、可動フィン３１の回動に伴い、リンクバー３７と連結軸３１ｃ〜３４ｃを介して連結された他の可動フィン３２〜３４も、同様に回動し、回動ルーバー３は図１９のように開放状態となる。
【００４０】
このため、天井のダクトＤを通して送風される空気流は、真直ぐに車室内に送風され、スポット風（直接風）が乗員に送風されることとなる。なお、このとき、固定ベゼル１の吹出口１３は、凸状開閉部２３によって、図１４のように閉鎖されていることが好ましいが、開放状態であっても、問題なくスポット風を送風することができる。
【００４１】
また、回動ルーバー３は、図１４に示すように、その可動フィン３１〜３４をその支軸３１ａ〜３４ａを軸に回動操作し、その向きを変えることができ、且つ中心軸Ｓの回りで回動操作することができるので、任意の方向にスポット風（直接風）を送風することができる。
【００４２】
一方、マイルド風（拡散風）を送風する場合は、図１５に示すように、回動ルーバー３の可動フィン３１〜３４を図の時計方向に回動させ、回動ルーバー３を閉鎖状態とする。このとき、使用者は可動フィン３１〜３４の何れかの前面を押して回動ルーバー３を閉鎖すれば、簡単な操作で空気吹出口３９を閉じることができる。
【００４３】
次に、使用者は可動ベゼル２のフランジ部２１を把持して、可動ベゼル２をその中心軸Ｓの回りで所定の方向に所定の角度（例えば約１５°）だけ回動操作し、吹出口１３を開放する（図１５、図１８）。このとき、可動ベゼル２のフランジ部２１は把持しやすい大きさの円形に形成されているので、使用者は容易にフランジ部２１を把持して回すことができる。また、可動ベゼル２の所定角度の回動操作では、ボールプランジャ１５の作用により、クリック感が発生するので、使用者はクリック感を感じながら、確実に所定の角度だけ可動ベゼル２を回すことができる。
【００４４】
これにより、可動ベゼル２が回動して、凸状開閉部２３が吹出口１３から外れる位置に移動し、凸状開閉部２３間の開放部２４が吹出口１３の前面に位置する状態となり、固定ベゼル１の内周部１２の全ての吹出口１３が図１５のように開放される。
【００４５】
このため、図１５のように、ダクトＤを通してレジスタに送風される空気流は、円周上の全ての吹出口１３を通り、さらに固定ベゼル１と可動ベゼル２の隙間１４を通過し、天井面に略沿って放射状に送風され、マイルド風（拡散風）が車室内に送風されることとなる。
【００４６】
一方、レジスタからの送風を全て停止する場合は、可動ベゼル２のフランジ部２１を把持して、可動ベゼル２を何れかの方向に所定角度だけ回せば、図１７のように、可動ベゼル２の凸状開閉部２３が吹出口１３の前面を覆う位置に移動し、固定ベゼル１の内周部１２の全ての吹出口１３が閉鎖され、回動ルーバー３も図１７のように閉鎖状態であるから、送風は全て停止されることとなる。
【００４７】
このように、可動ベゼル２のフランジ部２１を持って可動ベゼル２をその中心軸Ｓの回りで回すと、固定ベゼル１の吹出口１３が開閉され、吹出口１３が開放された場合には、拡散風が、それらの吹出口１３を通り、固定ベゼル１と可動ベゼル２の隙間１４を通過して、図１８のように、天井面近傍にマイルド風を送風することができる。
【００４８】
また、可動ベゼル２を回して吹出口１３を閉鎖して、吹出口１３からの送風を停止し、回動ルーバー３の可動フィン３１〜３４を回動操作して、回動ルーバー３を開放状態とすれば、図１９のように、回動ルーバー３の空気吹出口３９からスポット風を任意の方向に送風することができ、簡単な操作で、スポット風とマイルド風を切り替えることができる。
【００４９】
このようなレジスタは、その構成部材が、比較的簡単な構造の固定ベゼル１、可動ベゼル２、及び回動ルーバー３を組み付けて構成できるので、薄型で且つコンパクトに製造することができ、天井面や壁面からの突出長が少なく、また低コストで容易に製造することができる。
【００５０】
なお、上記実施形態の回動ルーバー３には、４枚の可動フィン３１〜３４を設けたが、例えば可動フィンの数を２枚、３枚或いは５枚とすることもできる。
【００５１】
また、上記可動ベゼル２のフランジ部２１は円環状以外の異形であってよく、円環状の円環フレーム部２２があれば、使用者が把持しやすい任意の形状にフランジ部を形成することもできる。
【００５２】
また、固定ベゼル１のフランジ部１１の形状も、円環状の内周部があれば、任意の形状に形成することができる。
【符号の説明】
【００５３】
１      固定ベゼル
２      可動ベゼル
３      回動ルーバー
１１    フランジ部
１２    内周部
１３    吹出口
１４    隙間
１５    ボールプランジャ
２１    フランジ部
２２    円環フレーム部
２３    凸状開閉部
２４    開放部
２５    係止爪部
２５ａ  外側係止爪
２５ｂ  内側係止爪
３１    可動フィン
３１ａ  支軸
３１ｂ  アーム
３１ｃ  連結軸
３２    可動フィン
３２ａ  支軸
３３    可動フィン
３３ａ  支軸
３４    可動フィン
３４ａ  支軸
３５    円環フレーム
３６ａ  軸受部
３６ｂ  軸受部
３６ｃ  軸受部
３６ｄ  軸受部
３７    リンクバー
３９    空気吹出口
【図１】
2014213834.tif 000003
【図２】
2014213834.tif 000004
【図３】
2014213834.tif 000005
【図４】
2014213834.tif 000006
【図５】
2014213834.tif 000007
【図６】
2014213834.tif 000008
【図７】
2014213834.tif 000009
【図８】
2014213834.tif 000010
【図９】
2014213834.tif 000011
【図１０】
2014213834.tif 000012
【図１１】
2014213834.tif 000013
【図１２】
2014213834.tif 000014
【図１３】
2014213834.tif 000015
【図１４】
2014213834.tif 000016
【図１５】
2014213834.tif 000017
【図１６】
2014213834.tif 000018
【図１７】
2014213834.tif 000019
【図１８】
2014213834.tif 000020
【図１９】
2014213834.tif 000021